(57)【要約】【課題】ガラス戸の数に合わせて複数基のロールスクリーンを広い開口部に連設する場合でも、開閉しようとするガラス戸に対応するロールスクリーンを個別に開閉操作し得るようにすると共に、その連設されて生じる隣合うロールスクリーンのカーテン地の側縁と側縁の間の隙間を無くす。【解決手段】  桿状基材１３の両端部に突設されたアーム１４とアーム１５の間で可回転に軸支された回転支軸１６にカーテン地１７の取り付けて成るロールスクリーン１８を、平行に配列されて水平に支持される複数本のレール１１・１２のそれぞれに、その回転支軸１６をレール１１・１２に平行に向け、レール１１・１２の長さ方向に走行可能に吊り下げる。【選択図】図３
2005068829.tif 000002
【特許請求の範囲】
【請求項１】
平行に配列されて水平に支持される複数本のレール（１１・１２）のそれぞれに、桿状基材（１３）の両端部に突設されたアーム（１４）とアーム（１５）の間で可回転に軸支された回転支軸（１６）にカーテン地（１７）の取り付けて成るロールスクリーン（１８）が、その回転支軸（１６）をレール（１１・１２）に平行に向け、レール（１１・１２）の長さ方向に走行可能に吊り下げられているロールスクリーン連設装置。
【請求項２】
固定フレーム（１９）に取り付けられるブラケット（２０）に、複数本のレール（１１・１２）が上下に分かれて取り付けられており、その各レール（１１・１２）に吊り下げられているロールスクリーン（１８）のカーテン地（１７）が回転支軸（１６）に同方向に巻き付けられている前掲請求項１に記載のロールスクリーン連設装置。
【請求項３】
固定フレーム（１９）に取り付けられるブラケット（２０）に、２本のレール（１１・１２）が水平方向に分かれて取り付けられており、その各レール（１１・１２）に吊り下げられているロールスクリーン（１８）のカーテン地（１７）が回転支軸（１６）に互いに逆向きに巻き付けられており、その各回転支軸（１６・１６）から巻き戻されるカーテン地（１７・１７）が、平行に並んだ２本のレール（１１・１２）の間を通る鉛直面（２４）に位置する前掲請求項１に記載のロールスクリーン連設装置。
【発明の詳細な説明】
【技術分野】
【０００１】
本発明は、桿状基材の両端に突設したアームとアームに可回転に軸支した回転支軸にカーテン地を取り付けて昇降操作して使用するロールスクリーンに関するものである。
【背景技術】
【０００２】
窓やテラス等の建物の開口部の遮蔽装置として使用されるロールスクリーンには、その開口部の間口幅に応じた広幅のカーテン地が織機や編機、プリント装置、ラミネート装置等のカーテン地製造装置の機幅に制約されて得難いなどの理由から、その開口部の間口幅に応じた長尺の回転支軸に複数条のカーテン地を並べて吊るす方法（例えば、特許文献１参照）、或いは、複数基のロールスクリーンを、その回転支軸の端々を突き合わせて連設する方法（例えば、特許文献２参照）が採られる。
【特許文献１】実公平６−１７９９２号公報（実開昭６３−１１９７８７）（実用新案登録請求の範囲、第１図）。
【特許文献２】実公昭６２−２９５９３号公報（実開昭５７−１９６７９３）（実用新案登録請求の範囲、第１図）。
【発明の開示】
【発明が解決しようとする課題】
【０００３】
その回転支軸を余り長くすると両端間の中央部での撓みが大きくなり、その撓みを少なくするために回転支軸を太くすればロールスクリーンの体裁が損なわれる。そこで、そのような不都合を回避するために、端々で突き合わせて複数本の短尺回転支軸を連設することになるが、その場合には、その隣合う回転支軸の端々を軸支するアームを薄くしても、その隣合うカーテン地の側縁と側縁の間に隙間が生じ、隠蔽装置としてのロールスクリーンの機能が損なわれる。そして、建物の広い開口部には複数枚のガラス戸が連設されていることが多く、室内換気のためにガラス戸を開閉しようとするときは、開口部の全幅にわたるロールスクリーンを昇降操作しなければならず、その昇降操作がガラス戸の開閉を煩わしくしている。
【０００４】
そこで本発明は、ガラス戸の数に合わせて複数基のロールスクリーンを広い開口部に連設する場合でも、開閉しようとするガラス戸に対応するロールスクリーンを個別に開閉操作し得るようにすると共に、その連設されて生じる隣合うロールスクリーンのカーテン地の側縁と側縁の間の隙間を極力少なくすることを目的とする。
【課題を解決するための手段】
【０００５】
本発明に係るロールスクリーン連設装置は、平行に配列されて水平に支持される複数本のレール１１・１２のそれぞれに、桿状基材１３の両端部に突設されたアーム１４とアーム１５の間で可回転に軸支された回転支軸１６にカーテン地１７の取り付けて成るロールスクリーン１８が、その回転支軸１６をレール１１・１２に平行に向け、レール１１・１２の長さ方向に走行可能に吊り下げられていることを第１の特徴とする。
【０００６】
本発明に係るロールスクリーン連設装置の第２の特徴は、上記第１の特徴に加えて、固定フレーム１９に取り付けられるブラケット２０に、複数本のレール１１・１２が上下に分かれて上下多段に取り付けられており、その各レール１１・１２に吊り下げられているロールスクリーン１８のカーテン地１７が回転支軸１６に同方向に巻き付けられている点にある。
【０００７】
本発明に係るロールスクリーン連設装置の第３の特徴は、上記第１の特徴に加えて、固定フレーム１９に取り付けられるブラケット２０に、２本のレール１１・１２が水平方向に分かれて前後二重に取り付けられており、その各レール１１・１２に吊り下げられているロールスクリーン１８のカーテン地１７が回転支軸１６に互いに逆向きに巻き付けられており、その各回転支軸１６・１６から巻き戻されるカーテン地１７・１７が、平行に並んだ２本のレール１１・１２の間を通る鉛直面２４に位置する点にある。
【発明の効果】
【０００８】
本発明によると、ロールスクリーン１８は、ガラス戸２５と同様にレール１１（１２）の長さ方向に走行可能に吊り下げられている。このため、複数基の各ロールスクリーン１８・１８………を、ガラス戸２５と同様に水平方向に移動して開閉することが出来る。従って、建物の開口部に取り付けられている複数枚のガラス戸２５・２５………の中の任意の１枚のガラス戸２５を開閉する際には、その１枚のガラス戸２５に向かい合う１基のロールスクリーン１８を移動して開け、そこに現れる１枚のガラス戸２５を移動して建物の開口部の一部を開放することが出来る。このように、建物の開口部の一部を開放して室内換気を行おうとするとき、そこに吊り下げられている全てのロールスクリーン１８・１８………を昇降操作する必要はなく、それをガラス戸２５と同様に横に引いて開けることが出来、その操作がガラス戸２５と同様に横に引くと言う同じ操作なので、ロールスクリーン１８の開閉操作が煩わしく感じさせることがない。そして、レール１１・１２は、在来のカーテンレールと同様に、その数箇所に取り付けたブラケット２０によって水平に支持されるので、レールの中間部が撓んでカーテン地の側縁２２・２３が鉛直に揃い、それが傾斜してロールスクリーン連設装置全体の美観を損なうことはない。
【０００９】
そして、複数本のレール１１・１２を上下多段に支持する場合、その各レール１１・１２に吊り下げるロールスクリーン１８・１８のカーテン地１７・１７をそれぞれ回転支軸１６に同方向に巻き付けることとしたので、それらのカーテン地１７・１７は同じ鉛直面内２４で昇降操作され、その隣合う一方のロールスクリーン１８のカーテン地の側縁２２と他方のロールスクリーン１８のカーテン地の側縁２３が、その同じ鉛直面内２４で前後に重なって触れ合い、従って、その隣合うロールスクリーン１８とロールスクリーン１８の間に隙間が出来ず、その遮蔽機能が確保される。
【００１０】
又、２本のレール１１・１２を前後二重に支持する場合には、その各レール１１・１２に吊り下げるロールスクリーン１８・１８のカーテン地１７・１７を互いに逆向きに回転支軸１６に巻き付けることとしたので、それらのカーテン地１７・１７は前後する２本のレール１１・１２の間を通る同じ鉛直面内２４で昇降操作され、その隣合う一方のロールスクリーン１８のカーテン地の側縁２２と他方のロールスクリーン１８のカーテン地の側縁２３が、その同じ鉛直面内２４で前後に重なって触れ合い、従って、その隣合うロールスクリーン１８とロールスクリーン１８の間に隙間が出来ず、その遮蔽機能が確保される。
【発明を実施するための最良の形態】
【００１１】
桿状基材１３は、その両端部の２個のアーム１４・１５の間を回転支軸１６の長さに応じた一定の距離に保つ言わばスペーサーの役目を果たすものであり、その形状は格別問われず、その断面形状は、図１と図２に図示するように矩形断面を成すもの、図４に図示するようにＨ形断面を成すもの、図５に図示するようにＴ形断面を成すもの、図６に図示するようにＣ形断面を成すもの、その他円形断面を成すものであってもよい。
【００１２】
カーテン地１７の幅は、レールの全長をロールスクリーンの数で除した値に、重なり代として５〜１０ｃｍ加えた寸法にするとよい。そうすることによって、隣合う一方のカーテン地の側縁２２と他方のカーテン地の側縁２３が重なり、その間の隙間をなくすことが出来る。
例えば、図１に図示するように２本のレール１１・１２を上下２段に支持するブラケット２０を２個向かい合わせに固定フレームに取り付け、それら２個のブラケット２０（２０）に支持される全長が４ｍの合計４本のレールに４枚のロールスクリーンを取り付ける場合、その各カーテン地１７の幅は１０５〜１１０ｃｍにし、隣合うカーテン地の側縁２２と側縁２３が２〜５ｃｍ重なり合うようにする。
【００１３】
レール１１・１２には、カーテン地の上縁を取り付けるランナー２１が走行自在に装着されている市販のカーテンレールを使用することが出来、又、ロールスクリーン１８にも市販のものを使用することが出来る。即ち、市販のロールスクリーン１８を、市販のカーテンレール１１（１２）のランナー２１に、アーム１４・１５又は桿状基材１３を接合してロールスクリーン連設装置を作る。
【００１４】
市販のチャネル（溝）型のカーテンレールは、図６に図示するように、桿状基材１３に使用することも出来る。その場合、レール１２（１１）には、そのカーテンレールの溝に嵌合する桿状部材、例えば図６に図示するように、Ｃ形鋼材を用いるとよい。
桿状部材１３の撓みをなくし、レール１１・１２と桿状部材１３との軋みをなくすには、図４〜図６に図示するように、Ｈ形鋼材やＴ形鋼材或いはＣ形鋼材などのフランジとウエブから成る鋼材を桿状部材１３に使用するとよい。
【図面の簡単な説明】
【００１５】
【図１】本発明に係るロールスクリーン連設装置の断面側面図である。
【図２】本発明に係るロールスクリーン連設装置の断面側面図である。
【図３】本発明に係るロールスクリーン連設装置の斜視図である。
【図４】本発明に係るロールスクリーン連設装置の要部断面側面図である。
【図５】本発明に係るロールスクリーン連設装置の要部断面側面図である。
【図６】本発明に係るロールスクリーン連設装置の要部断面側面図である。
【符号の説明】
【００１６】
１１・１２：レール
１３：桿状基材
１４・１５：アーム
１６：回転支軸
１７：カーテン地
１８：ロールスクリーン
１９：固定フレーム
２０：ブラケット
２１：ランナー
２２・２３：カーテン地の側縁
２４：鉛直面
２５：ガラス戸
【図１】
2005068829.tif 000003
【図２】
2005068829.tif 000004
【図３】
2005068829.tif 000005
【図４】
2005068829.tif 000006
【図５】
2005068829.tif 000007
【図６】
2005068829.tif 000008